(57)【要約】【課題】簡易な構造であり、建設現場などで資材や部品に、容易に取り付け、取り外しができ、資材や部品から脱落し難く、携帯に便利で、且つ視認性に優れた識別タグ取付具を提供する。【解決手段】  識別タグ付き取付具は、切欠き２ａが形成された三角カン２と、三角カン２の切欠き２ａと対向しない位置に連結された伸縮性を有するリング状部材８と、三角カン２またはリング状部材８に取り付けられた識別タグ６とを備える。三角カン２に代えて丸カンを使用し得る。【選択図】  図１
2015121598.tif 000002
【特許請求の範囲】
【請求項１】
切欠きを有する三角環状または円環状のカンと、当該カンの切欠きに対向しない位置に連結された伸縮性を有するリング状部材と、前記カンまたは前記リング状部材に取り付けられた識別タグとを備えることを特徴とする識別タグ付き取付具。
【請求項２】
前記カンが三角環状の三角カンであり、前記切欠きは、前記三角カンの一辺に形成されており、前記リング状部材は当該一辺とは異なる辺に連結されていることを特徴とする請求項１に記載の識別タグ付き取付具。
【請求項３】
前記カンが円環状の丸カンであり、前記リング状部材は前記切欠きが形成された位置に対して９０度以下の開き角の位置で前記カンに連結されていることを特徴とする請求項１に記載の識別タグ付き取付具。
【請求項４】
前記リング状部材がゴム製であり、リングと、該リングを前記カンに連結するリング結合部を有することを特徴とする請求項１〜３のいずれか一項に記載の識別タグ付き取付具。
【請求項５】
前記識別タグの一端近傍に貫通穴が形成されており、前記リング状部材の一部が貫通孔を通過することでリング状部材に前記識別タグが取り付けられることを特徴とする請求項１〜４のいずれか一項に記載の識別タグ付き取付具。
【請求項６】
前記リング状部材が貫通孔から抜け落ちることを防止する抜け止めがリング状部材に設けられていることを特徴とする請求項５に記載の識別タグ付き取付具。
【請求項７】
前記リング状部材を貫通孔に挿入することを容易にする先細りの突起がリング状部材に設けられていることを特徴とする請求項５または６に記載の識別タグ付き取付具。
【請求項８】
さらに底面が平坦な台座を備え、前記識別タグが前記台座の底面に対して直交するように台座の上面に取り付けられていることを特徴とする請求項１〜７のいずれか一項に記載の識別タグ付き取付具。
【請求項９】
前記識別タグが、バーコード、ＱＲコード（登録商標）、ＩＣチップまたはＲＩＦタグを有する請求項１〜８のいずれか一項に記載の識別タグ付き取付具。
【請求項１０】
請求項1〜９のいずれか一項に記載の識別タグ付き取付具を複数有し、さらに、複数の識別タグ付き取付具の前記カンの内側を貫通することで前記複数の識別タグ付き取付具をまとめて保持する保持具を有する識別タグ付き取付具セット。
【発明の詳細な説明】
【技術分野】
【０００１】
本発明は、建設現場などで施工中の電気ケーブル、配管などの種々の物品に取り付けられる識別タグ付き取付具に関する。
【背景技術】
【０００２】
建設現場では、電気ケーブル、配管、空調ダクトなど数多くの資材や部品が置かれている。特に、施工中であればそれらの資材や部品は、設置場所や接続先を特定しておく必要がある。例えば、電気の先行配線において、天井や壁に電気ケーブルが巻かれた状態で仮置きされているが、このような電気ケーブルを電気工事業者が所定位置のコンセント等に配線するために、回路番号、行き先表示等の識別表示を電気ケーブルの両端に直接書き込むことがある。電線ケーブルが環状に巻かれて束ねられてしまうと端部に書き込まれた識別表示は極めて見にくくなる。同様に、空調ダクトなど内部空間を有する部品では、内面に直接、識別表示が書き込まれることもある。作業者は、複数の設計図面とそれらの識別表示を突き合わせて位置や種類の確認をしながら作業を行う必要があった。
【先行技術文献】
【特許文献】
【０００３】
【特許文献１】特開平０９−０７１１９４号公報
【発明の概要】
【発明が解決しようとする課題】
【０００４】
ところで、建設現場における資材や部品は、近年の建築基準の法改正や居住者の生活の多様化等に伴い、年々、種類と数が増えている。このため、建設現場では、それらの識別などのために作業が複雑化するとともに、作業者の資材や部品の誤認や見落としが増え、現場での事故が生じる原因にもなっている。
【０００５】
そのような複雑化した現場において、設計図面と突き合わせながらの回路番号等を電気ケーブルなどの部品に記入し、それを天井などに敷設する作業は煩雑で厄介である。そのためか、施工中の部品などへの表記が十分でない場合が多く、また電気ケーブルなどに直接に記入されているため、高所に設置された場合には下方から見えづらく、確認も容易でなかった。
【０００６】
また、天井から壁部分においてスイッチ・コンセントの配線作業においては、ＰＦ・ＣＤ管などが最初に取り付けられ、壁ボードが設置された後に通線が行われる。しかし、どの管がどの回線に対応するのか表示がなく、また壁ボードに遮られるため、作業者は一人でそれらの管の下部開口から細い棒状の予備線を挿入し、管の上部の開口位置を確認したりしなければならないことがあった。
【０００７】
また、高所に施工された部品等の確認のためだけに高所への上り下りをする必要も生じ、煩雑であるだけでなく転落や転倒の危険を伴うという問題があった。
【０００８】
さらに、部品の行き先表示などの情報は、フェルトペンで部品に記入されることが多く、途中で見にくくなったり、消失こともあった。また、資材や部品が建設現場に納入されたときに、雑然と持ち込まれて、分類、整理が徹底できないことにより、使用時に見つけることが容易でない場合もあった。
【０００９】
電線ケーブル等の結束具として、伸縮性を有するバンド部とバンド部の一端を掛け止めるバンド掛止部を有する結束具が知られている（特許文献１参照）。このような結束具は多数の線状部材を結束することが目的であり、識別機能を持たない。また、バンド掛止部が複雑な構造であり、伸縮性を有するバンド部との接続も容易ではないので製造が容易ではない。
【００１０】
本発明の目的は、建設現場などに置かれた物品にその情報を直接書き込むことなく、その物品への取り付け及び取り外しが容易であり、その物品から脱落し難く、携帯に便利で、且つ視認性の優れた識別タグ取付具を提供することにある。さらに、本発明の目的は、簡易な構造で製造が容易である識別タグ取付具を提供することにある。
【課題を解決するための手段】
【００１１】
本発明の第１態様に従えば、切欠きを有する三角環状または円環状のカンと、当該カンの切欠きに対向しない位置に連結された伸縮性を有するリング状部材と、前記カンまたは前記リング状部材に取り付けられた識別タグとを備えることを特徴とする識別タグ付き取付具が提供される。
【００１２】
前記識別タグ付き取付具において、前記カンが三角環状の三角カンであり、前記切欠きは、前記三角カンの一辺に形成されており、前記リング状部材は当該一辺とは異なる辺に連結されていてもよい。また、前記カンが円環状の丸カンであり、前記リング状部材は前記切欠きが形成された位置に対して９０度以下の開き角の位置で前記カンに連結されていてもよい。前記リング状部材がゴム製であり、リングと該リングを記カンに連結するリング結合部を有していてもよい。前記識別タグの一端近傍に貫通穴が形成されており、前記リング状部材の一部が貫通孔を通過することでリング状部材に前記識別タグが取り付けられ得る。この場合、前記リング状部材が貫通孔から抜け落ちることを防止する抜け止めがリング状部材に設けられていてもよい。また、前記リング状部材を貫通孔に挿入することを容易にする先細りの突起がリング状部材に設けられていてもよい。
【００１３】
前記識別タグ付き取付具は、さらに底面が平坦な台座を備え、前記識別タグが前記台座の底面に対して直交するように台座の上面に取り付けられていてもよい。前記識別タグが、バーコード、ＱＲコード（登録商標）、ＩＣチップまたはＲＩＦタグを有していてもよい。
【００１４】
本発明の第２の態様に従えば、本発明の第１の態様の識別タグ付き取付具を複数有し、さらに、複数の識別タグ付き取付具の前記カンの内側を貫通することで前記複数の識別タグ付き取付具をまとめて保持する保持具を有する識別タグ付き取付具セットが提供される。
【発明の効果】
【００１５】
本発明の識別タグ付き取付具は、単純な構造であるため、作業現場などで資材や部品に容易に且つ迅速に取り付け及び取り外しができ、それらの資材や部品から脱落し難く、また視認性に優れるため、現場の作業を効率化するとともに現場における欠陥や事故を低減することができる。特に、本発明の識別タグ付き取付具は、伸縮性を有するリング状部材と丸カンまたは三角カンだけで対象物に取り付けることができる。それゆえ、簡単な構造であり、製造が容易である。本発明の識別タグ付き取付具及び識別タグ付き取付具セットは携帯に便利であり、作業現場等における資材や部品等の管理にも有益となる。さらに、工事や作業の進捗状況なども本発明の取付具の識別タグに付すことにより作業者の報告または現場監督の確認作業などにも有用となる。
【図面の簡単な説明】
【００１６】
【図１】本発明の第１実施形態に従う識別タグ付き取付具の具体例を示す図である。
【図２】識別タグ付き取付具を電気ケーブルに取り付けた状態を示す図である。
【図３】リング状部材を作業者の手首に通すことにより作業者の手首に保持された複数の識別タグ付き取付具を示す図である。
【図４】複数の識別タグ付き取付具を棒材に通して保持・管理している様子を示す図である。
【図５】抜け止め及び挿入用突起が設けられたリング状部材を有する識別タグ付き取付具の変形例を示す図である。
【図６】識別タグの下端に台座を取り付けた識別タグ付き取付具の変形例を示す図である。
【図７】本発明の第２実施形態に従う識別タグ付き取付具の具体例を示す図である。
【発明を実施するための形態】
【００１７】
以下に本発明の識別タグ付き取付具の実施形態について、図を参照しながら説明する。
本発明の識別タグ付き取付具１０の第１実施形態を、図１を参照しながら説明する。図１に示すように、この取付具１０は、三角環状の三角カン２と、この三角カン２に連結されたリング状部材８と、リング状部材８に取り付けられた識別タグ６とを備える。三角カン２は、この例では、金属で形成された正三角形状の環状部材であり、一つの辺のほぼ中央、すなわち隣り合う頂部２ｂの間のほぼ中央に切欠き２ａ（開通部）が形成されている。リング状部材８は、この例では、断面が円形のゴム製のリング８ａと、リング８ａを三角カン２に連結または結合するゴム製の結合部（首部）８ｂを有する。結合部８ｂはリング８ａと同じ太さを有する断面が円形の線状の部材であり、その一端は三角カン２の切欠きの形成されていない辺２ｃのほぼ中央に取り付けられており、結合部８ｂの他端はリング８ａに連結している。リング状部材８の結合部８ｂの一端は、この例では、三角カン２の辺２ｃに溶着により固定されている。あるいは、結合部８ｂの一端に三角カン２の辺２ｃが通る貫通孔を設け、その貫通孔に三角カン２の辺２ｃを通してもよい。
【００１８】
識別タグ６は、リング状部材８が取り付けられる部材やパーツの各種情報を示すための札である。この例では、識別タグ６には、長方形状のプラスチック製の本体に書き込み紙製のブランク(ラベル)６ｂが埋め込まれており、本体の長手方向の一端近傍に穴６ａが形成されている。この穴６ａにリング８ａの端を重ねて通すことにより、識別タグ６をリング状部材８に装着することができる。穴６ａは、リング状部材８から識別タグ６が不意に落下することを防止するために、リング状部材８の直径の２倍よりもわずかに小さい径にし得る。リング状部材８の結合部８ｂは、リング８ａと同じ太さであるので、識別タグ６はリング状部材８の結合部８ｂに留まり、リング状部材８からの脱落が防止される。リング状部材８のリング８ａと結合部８ｂは、一端に成形することができる。また、後述するようにリング８ａの一部を通すときにリング８ａを傷つけないように切欠き２ａを挟んで対向する切断辺の先端は凸状の曲面（半球面）をなしている。
【００１９】
次に、取付具１０の使用方法の一例を、図２を参照しながら説明する。図２は、建築現場にて先行配線された電気ケーブルの束１４に取り付けられた取付具１０を示している。取付具１０を電気ケーブルの束１４に取り付けるには、取付具１０のリング状部材８のリング８ａを電気ケーブルの束１４に巻き付けるように周回させた後、リング状部材８の端を三角カン２の切欠き２ａを通し、三角カン２の内側に引き入れて三角カン２に引っ掛ければよい。ここで、電気ケーブルの束１４の周長がリング８ａの周長の２倍より大きければ、リング８ａには張力がかかる。このため、切欠き２ａを通して三角カン２の内側に引っ掛けられたリング状部材８の端は、三角カン２の切欠き２ａから三角カン２の頂部２ｂ（特に、図１の頂部２ｂのうち最も上部に描かれている頂部）に移動する。このため、切欠き２ａを通ってリング状部材８が三角カン２から外れ難く、取付具１０が電気ケーブルの束１４から落下または離脱することが防止される。すなわち、三角カン２の切欠き２ａは弾性のあるリング状部材８と組み合わせて使うことで、リング状部材８への挿入を可能とし且つ離脱を抑制する一方通行口として機能する。なお、三角カン２の切欠き２ａの幅は、弾性を有するリング８ａを通すためにリング８ａの径よりわずかに小さくするのがよい。また、三角カンの切欠き２ａが形成されている位置と対向しない位置に結合部８ｂが位置しているため、この位置関係も切欠き２ａを通ってリング状部材８が三角カン２から外れ難くしている。なお、この例では、結合部８ｂが三角カン２の辺２ｃの中央に連結されているが、辺２ｃのいずれかの端部すなわち、頂部に連結されていてもよい。その位置関係でも切欠き２ａと結合部８ｂは対向しない。
【００２０】
取付具１０の使用態様として、建築現場の作業者は、図２に示したような使用態様の前後に、図３に示すように、予め複数の取付具１０を、取付具１０のリング状部材８を手首に通しておくことでまとめて持ち運びすることができる。作業者は、電気ケーブルの束などの対象部材が仮置きされた場所で、手首からその対象部材に対応する識別番号などが識別タグ６に付された取付具１０を取り外し、それを対象部材に容易に取り付けることができる。このため、作業員は高所などの危険な場所でも、容器から識別タグを取り出したり、現場で文字等を対象部材に直接書き込むといった煩雑な作業を行うことなく、部材に容易に識別情報を付すことができる。また、取付対象部材が比較的小さい場合に、リング状部材８の内側に取付け対象部材を通すだけで、すなわちリング状部材の張力だけで取付具１０を取付け対象部材に取り付けてもよい。
【００２１】
取付具１０は、図４に示すような棒材１２に三角カン２を通すことで取付具セットとして複数同時に持ち運ぶことができ、複数の取付具１０を散らばらせることなくまとめて管理することができる。複数の棒材１２を、例えば、工事管理事務所の壁などの所定部位に取り付けて、工事現場の部屋や階数ごとに識別された複数の取付具１０を棒材１２ごとに仕分けしておくことで、取付具１０の取り扱いや管理がし易くなる。棒材１２を所定のプレートに取り付け、そのようなプレートごと複数の取付具１０を持ち運び、また管理してもよい。また、複数の取付具１０を有する取付具セットにおいて、三角カン２、識別タグ６及びリング状部材８は異なる色に着色して、色ごとに用途や使用場所などに関する識別性を持たせてもよい。三角カン２は、正三角形に限らず、二等辺三角形など任意の三角形でもよい。
【００２２】
上記実施形態ではリング状部材８として、ゴム製の部材を使用しているが、伸縮性を有し、比較的柔軟な材料であれば任意の材料を使用してリング状部材を形成し得る。例えば、金属製やプラスチック製のコイルスプリング状部材であっても構わないし、内部に伸縮性の材料を収容した複合材料であってもよい。また、ゴムは、シリコーンゴムなどの合成ゴムや伸縮性または弾性のある各種エラストマーを含む概念である。また、リング状部材８の断面形状も円形に限らず、楕円形など任意の形状にし得る。また、リング状部材８は、線状の結合部８ｂを有していなくてもよい。この場合、リング８の一端を直接三角カンにくくりつけて取り付けてもよいし、リング８の太さ方向に貫通孔をあけて、そこに三角カン２の辺２ｃを通してもよい。また、リング状部材８の三角カン２への取付方法は、上記方法に限らず接着剤などで固着してもよい。
【００２３】
上記実施形態ではリング状部材８を、識別タグ６の穴６ａにリング状部材８の他端を通すことにより識別タグ６をリング状部材８に装着しているが、この装着を容易にするために、図５に示すように、リング８ａの一部（結合部８ｂが連結している側の反対側）を先細りの突起８ｃのように加工してもよい。突起８ｃを先に識別タグ６の穴６ａに挿入することにより、リング８ａの径が穴６ａより大きくても通しやすくなる。突起８ｃはリング８ａと一体に成形することができる。
【００２４】
また、リング状部材８に装着した識別タグ６がリング状部材８から不意に脱着することを防止するために、図５に示すように、一または二個の突起状の抜け止め８ｄを結合部８ｂ（またはリング８ａ）に取り付けてもよい。抜け止め８ｄは落下防止の観点から抜け止め８ｄと結合部８ｂの幅が穴６ａの径よりも大きくなるようにするのが望ましい。リング状部材８をゴム材料から形成する場合には、抜け止め８ｂをリング状部材８と一体に成形することができる。なお、上記実施形態では識別タグ６がリング状部材８に取り付けられる例を示したが、識別タグ６が三角カン２に取り付けられてもよい。この場合、例えば、識別タグ６の穴６ａに三角カン２を切欠き２ａを介して通すことができる。
【００２５】
また、上記実施形態では、識別タグ６をリング状部材８に取り付けるために識別タグ６に穴６ａが形成されていたが、穴６ａと識別タグ６の縁を連結するスリットを形成してもよい。こうすることでリング状部材８をスリットを通じて穴６ａに入れることもできる。あるいは、穴６ａを形成する代わりに、識別タグ６をリング状部材８の一部を挟んで折り畳むことでリング状部材８に連結してもよく、また、接着テープや他の部材を介して識別タグ６をリング状部材８や三角カン２に連結してもよい。或いは識別タグ６をリング状部材８に直接、接着剤などで接着してもよい。また、図５に示すように、識別タグ６の穴６ａが形成されている側の反対側にも穴６ｃを形成してもよい。この場合、図５に示した状態から、リング８ａの突起８ｃを穴６ｃに通してリング８ａの一部を穴６ｃを通過させることにより、識別タグ６が二つの穴６ｂ，６ｃを通してリング８の長さ方向に沿うように保持される。それゆえ、取付具１０を電線ケーブルの束などの部品取り付けたときに、識別タグ６の面が部品の表面に沿って配置され、部品に付いた識別タグ６の表示が見易くなる。また、識別タグ６の表示面の裏返しを防止することができ、見易さのみならず、識別タグ６の表示面にＱＲコード（登録商標）、ＩＣチップなど搭載したときに、読み取り装置による情報の読み取りが容易となる。
【００２６】
識別タグ６は、長方形、正方形、円形、楕円形など任意の形状でよく、アクリルなどのプラスチック、紙などの任意の材料から形成されていてよい。書き込みブランク（ラベル）８ａはホチキスや接着剤で紙ラベルをタグ本体に取り付けてもよい。あるいは、書き込みブランク８ａを設けることなく、直接、識別タグ６に識別情報を書き込んでもよい。識別タグ６には、ＱＲコード（登録商標）、ＲＩＦタグ、ＩＣタグなどを取り付けてもよく、それらにより取付確認作業を何らかの端末を通じてコンピュータ管理することが可能である。また、ＣＡＤなどの施工プログラムを使用して、部品名、行き先、寸法、目的までの距離など必要な指標を事前にラベルプリンターなど使用してラベルに印字し、それを取り付けることが可能である。
【００２７】
図６に、識別タグ６の下端に台座を取り付けた取付具の変形例を示す。この取付具１０’では、識別タグ６の穴６ａが形成されている側の端部に、台座１６が取り付けられている。台座１６は、底面が平坦であり、上面が凸状に湾曲している蒲鉾形状を有し、上面の中央に長手方向に沿って且つ識別タグ６の面が台座の底面と直交するように識別タグ６の端部が取り付けられている。図５に示すように、リング状部材８が電線ケーブル１４に掛け渡されたときに、リング状部材８は識別タグ６の穴６ａを通っているので、リング状部材８の張力が識別タグ６とその下に取り付けられた台座１６を電線ケーブル１４に押し付けようと作用する。この結果、図５に示すように、台座１６の底面が電線ケーブル１４に密着するとともに、識別タグ６が台座１６を介して電線ケーブル１４の上に立ち上がる姿勢をとる。従って、作業者が電線ケーブル１４を見たときに、その行き先などを表示する識別タグ６が見やすくなる。なお、台座１６は、識別タグ６と一体である必要はなく、例えば、台座１６の上面中央に長手方向に延在する切り込みを設け、この切り込みに差し込むようにしてもよい。また、台座の形状は蒲鉾型に限らず、底面が平坦であり、上面のほぼ中央に底面と直交するよう識別タグが延在するような構造であれば、プレート状、三角柱状など任意の構造にし得る。
【００２８】
＜第２実施形態＞
上記実施形態で用いた三角カンに代えて、図７に示すように、切欠き２２ａが形成された丸カン２２を用いてもよい。この場合、丸カン２２に連結される結合部８ｂの位置は、切欠き２２ａに対向しない位置であり、すなわち、切欠き２２ａと結合部８ｂが連結される位置の開き角が１８０度とは異なる角度位置とする。切欠き２２ａを通じて丸カン２２の内側にリング８を挿入し易くし且つリング８の切欠き２２ａからの抜けを防止する観点から、切欠き２２ａと結合部８ｂが連結される位置の開き角が図７に示したように９０度以下であることが好ましく、一層好ましくは４５度以下であり、できるだけ切欠き２２ａと結合部８ｂが連結される位置が近い方がよい。取付具１０”を電気ケーブルの束等の部品に取り付けるには、図２との関係で説明した通り、リング８ａを部品に巻き付けるように周回させた後、リング状部材８の端を丸カン２２の切欠き２２ａを通し、丸カン２２の内側に引き入れて丸カン２に引っ掛ければよい。部品の周長がリング８ａの周長の２倍より大きければ、リング８ａには張力がかかる。このため、切欠き２２ａを通して丸カン２２の内側に引っ掛けられたリング状部材８の端は、丸カン２２の切欠き２２ａから結合部８ｂが連結されている位置に対向する位置に移動する。このため、切欠き２２ａを通ってリング状部材８が丸カン２２から外れ難く、取付具１０’が部品から落下または離脱することが防止される。その他の取付具１０’の構成や使用方法は、第１実施形態で説明したのと同様であるので、その説明は省略する。また、図２〜図６に示した使用態様や変形例は丸カン２２を有する取付具１０’に、独立してまたは適宜組み合わせて、適用し得ることは言うまでもない。なお、用語「丸カン」は、円環状のみならず楕円環状のカン（環状部材）も包含する概念である。
【００２９】
三角カン２または丸カン２２は、金属に限らず、プラスチック、硬質ゴム等の任意の材料から形成し得る。三角カン２または丸カン２２の一部にマグネットを埋め込んでもよい。例えば、三角カン２の頂部にマグネットを埋め込んでもよい。こうすることで複数の三角カン２または丸カン２２が磁力で接合し合い、保管に便利となる。また、三角カン２または丸カン２２の切欠きを区画するカンの端部は、リング８ａの挿入を容易にするために外側にわずかに屈曲していてもよい。また、三角カン２または丸カン２２の結合部ｂが取り付けられる部分を窪ませたり径を細くすることで、結合部８ｂの三角カン２または丸カン２２上の移動やずれを防止することができる。
【００３０】
以上、本発明の取付具を実施形態及びその変形形態により具体的に説明してきたが、本発明はそれらの実施形態や変形形態に限らず、特許請求の範囲に記載した発明概念の範囲で変更し得る任意の形態も含む。また、本発明の取付具の使い方は上記実施形態や変形形態に記載した方法のみならず、任意の使い方をすることができる。例えば、三角カンや丸カンはリングを通すだけでなく、取付具が取り付けられた部品を三角カンや丸カンを通じて釘等の突起物に引っ掛けて吊るすこともできる。あるいは、一つの取付具のリングを別の取付具の三角カンまたは丸カンに連結することで、連結された取付具を比較的大きな部品にも取り付けることができる。
【産業上の利用可能性】
【００３１】
本発明の取付具を建設現場で使用することで、施工前や施工中の資材や部品に容易に情報を付すことができ、またその識別や確認が容易となる。このため、建設現場での作業を効率化し、高所における不要な確認作業を減らすことで建設現場での事故防止に貢献する。また、本発明の取付具は構造が簡単であるので、低コストで製造することができる。さらに、本発明の取付具は建設現場のみならず、広範な業種の現場で有用となる。例えば、市場や港の競り場に並べられたマグロなどの魚体の大きい魚や家畜などに付して売主、買主、売値などの情報を付すことができる。また、ホームセンター等の店舗において棒材やホースなどの資材の寸法や価格が付された値札として使用することもできる。
【符号の説明】
【００３２】
２  三角カン、  ２ａ  切欠き、  ２ｂ  頂部、  ２ｃ  辺
６  識別タグ、  ６ａ，６ｃ  穴、  ６ｂ  ラベル
８  リング状部材、  ８ａ  リング、  ８ｂ  結合部、
８ｃ  突起、８ｄ  抜け止め
１０,  １０’  取付具
１２  棒材
１４  電線ケーブル
１６  台座
２２  丸カン、２２ａ  切欠き
【図１】
2015121598.tif 000003
【図２】
2015121598.tif 000004
【図３】
2015121598.tif 000005
【図４】
2015121598.tif 000006
【図５】
2015121598.tif 000007
【図６】
2015121598.tif 000008
【図７】
2015121598.tif 000009